(57)【特許請求の範囲】
【請求項１】
長尺状を有する筐体と、
通信部と、
当該通信部を介した通話時に通話音声を出力するスピーカ部と、
前記通話時に集音するマイク部と、
筐体外部の音を集める集音部と、
前記通信部を介した通話を行う通話モードと、当該集音部によって集音された音を前記スピーカ部から出力する補聴モードとを切り替えるモード制御部と、を備えた携帯電話機であって、
前記スピーカ部は、前記筺体の一方側の主面で且つ前記筺体の長手方向の一端側に配置され、
前記マイク部は、前記筺体の長手方向の他端側に配置され、
前記集音部は、前記筺体の一方側の主面とは逆側の他方側の主面における前記スピーカ部及び前記マイク部の双方から離間した位置に配置される
ことを特徴とする携帯電話機。
【請求項２】
ユーザの性別、年齢及び生年月日の少なくとも一つを含む個人情報を記憶可能な記憶部を備え、
前記モード制御部は、前記補聴モードが設定されているときに、前記スピーカ部から出力される音を前記記憶部に記憶された個人情報に基づいて補正する
ことを特徴とする請求項１に記載の携帯電話機。
【請求項３】
前記記憶部は、前記モード制御部が補聴モードの際に参照する、全周波数領域にわたる音量の基準レベルを有し、
前記モード制御部は、補正する音声の音量のレベルを前記基準レベルと比較し、当該基準レベルを満たさない音声の周波数領域のレベルが前記基準レベルを満たすように補正する
ことを特徴とする請求項２に記載の携帯電話機。
【請求項４】
前記モード制御部は、前記補聴モードの時に前記スピーカ部から出力される音声に含まれるエコーを低減させるエコー低減部を有する
ことを特徴とする請求項１から３のいずれか一に記載の携帯電話機。
【請求項５】
前記モード制御部は、前記補聴モードの時に前記スピーカ部から出力される音声に含まれるノイズを低減させるノイズ低減部を有する
ことを特徴とする請求項１から４のいずれか一に記載の携帯電話機。
【請求項６】
前記モード制御部は、前記スピーカ部から出力する音量レベルを周波数領域毎に補正することが可能で、前記基準レベルを満たさない周波数領域における音声の音量を増幅するイコライジング部を有する
ことを特徴とする請求項３に記載の携帯電話機。
【請求項７】
前記モード制御部は、前記補聴モードのとき、前記スピーカ部から出力する音声を前記通話モードのときに前記スピーカ部から出力される音声の出力速度より遅くして出力する
ことを特徴とする請求項１から６のいずれか一に記載の携帯電話機。
【発明の詳細な説明】
【技術分野】
【０００１】
本発明は、集音した音声を増幅して出力できる補聴機能を有する携帯電話機に関するものである。
【背景技術】
【０００２】
補聴器の小型化が年々進み、耳の内部に隠れる程度の大きさの補聴器が開発されている（たとえば特許文献１、２を参照）。その結果、ユーザは他人に覚られずに補聴器を使用できるようになった。
【特許文献１】特公平３−６８６００号公報
【特許文献２】特開平５−３４４５９５号公報
【発明の開示】
【発明が解決しようとする課題】
【０００３】
しかし、特許文献１が開示する方法では、高域通過フィルタによって高域成分をカットする等の処理を施すため、音声の明瞭度が劣化する欠点がある。
特許文献１に加え、特許文献２が開示する方法では共に、外界の音を集音するマイクロフォンと集音され補正された音を出力するイヤホンとの距離が短くなるため、ハウリングが生じやすい問題が発生する。
【０００４】
ハウリングを起こさないようには、マイクロフォンとイヤホンとの距離を従来に比して大きくしなければならない。しかしながら、マイクロフォンとイヤホンの距離を大きくすると、補聴器自体のサイズが大きくなってしまい、他人に補聴器を使っていることが悟られてしまう。
【０００５】
本発明の目的は、他人に知られることなく音声品質のよい補聴機能を使用できる携帯電話機を提供することにある。
【課題を解決するための手段】
【０００６】
本発明は、長尺状を有する筐体と、通信部と、当該通信部を介した通話時に通話音声を出力するスピーカ部と、前記通話時に集音するマイク部と、筐体外部の音を集める集音部と、前記通信部を介した通話を行う通話モードと、当該集音部によって集音された音を前記スピーカ部から出力する補聴モードとを切り替えるモード制御部と、を備えた携帯電話機であって、前記スピーカ部は、前記筺体の一方側の主面で且つ前記筺体の長手方向の一端側に配置され、前記マイク部は、前記筺体の長手方向の他端側に配置され、前記集音部は、前記筺体の一方側の主面とは逆側の他方側の主面における前記スピーカ部及び前記マイク部の双方から離間した位置に配置されることを特徴とする。
【０００７】
好適には、ユーザの性別、年齢及び生年月日の少なくとも一つを含む個人情報を記憶可能な記憶部を備え、前記モード制御部は、前記補聴モードが設定されているときに、前記スピーカ部から出力される音を前記記憶部に記憶された個人情報に基づいて補正することを特徴とする。
【０００８】
好適には、前記記憶部は、前記モード制御部が補聴モードの際に参照する、全周波数領域にわたる音量の基準レベルを有し、前記モード制御部は、補正する音声の音量のレベルを前記基準レベルと比較し、当該基準レベルを満たさない音声の周波数領域のレベルが前記基準レベルを満たすように補正することを特徴とする。
【０００９】
好適には、前記モード制御部は、前記補聴モードの時に前記スピーカ部から出力される音声に含まれるエコーを低減させるエコー低減部を有することを特徴とする。
【００１０】
好適には、前記モード制御部は、前記補聴モードの時に前記スピーカ部から出力される音声に含まれるノイズを低減させるノイズ低減部を有することを特徴とする。
【００１１】
好適には、前記モード制御部は、前記スピーカ部から出力する音量レベルを周波数領域毎に補正することが可能で、前記基準レベルを満たさない周波数領域における音声の音量を増幅するイコライジング部を有することを特徴とする。
【００１２】
好適には、前記モード制御部は、前記補聴モードのとき、前記スピーカ部から出力する音声を前記通話モードのときに前記スピーカ部から出力される音声の出力速度より遅くして出力することを特徴とする。
【発明の効果】
【００１３】
本発明によれば、他人に知られることなく音声品質のよい補聴機能を使用できる携帯電話機を提供できる。
【発明を実施するための最良の形態】
【００１４】
以下、本発明の実施形態を図面に関連付けて説明する。
【００１５】
図１は、本実施形態に係る携帯電話機の主要部の構成例を示すブロック図である。図２は、本実施形態に係る携帯電話機の筐体の一例を示す外観図である。なお、図２（Ａ）は本実施形態に係る携帯電話機の筐体の前面を、図２（Ｂ）は上部筐体と下部筐体とが閉じた場合（筐体の閉時）を示す図である。図３は、本実施形態に係る補正データの例を説明するための図である。図４は、本実施形態に係る補正データの例を示す図である。
【００１６】
図１に示すように、携帯電話機１０は、アンテナ１１、通信部１２、モード制御部としての制御部（ＣＰＵ）１３、記憶部（ＭＥＭ）１４、としての音声処理部１５、集音部としてのマイクロフォン（ＭＩＣ）１６，マイクロフォン（ＭＩＣ）１７、スピーカ部としてのスピーカ（ＳＰ）１８、表示部１９、操作部１１０、スピーカ１８から出力された音声を外側へ放出する孔部１８１（図２参照）、を有する。
音声処理部１５は、増幅器（ＡＭＰ）１５１，１５１ａ、エコー低減部としてのエコーキャンセラ１５２、イコライジング部としてのイコライザ１５３および１５３ａ、音声速度調整部としてのＤＳＰ１５４および１５４ａ、ノイズ低減部としてのノイズキャンセラ１５５、およびスイッチＳＷ１〜４を有する。
【００１７】
携帯電話機１０は、マイクロフォン１６が集音した音声をユーザの聴力に適合するように増幅してスピーカ１８に出力する補聴モード（補聴機能）と、マイクロフォン１７を使用して音声通話を行う音声通話モードとを有する。この補聴モードおよび通話モードは、後述する制御部１３（モード制御部）によっていずれかのモードに切り替えられるが、通常時（音声通話を行わない時）には補聴モードが選択され、通話時には自動的に通話モードが選択される。
携帯電話機１０は、図示しない基地局を介してネットワークに接続され、基地局を介してネットワークに接続されているサーバ装置の制御にしたがって、音声通話、電子メールの作成とその送受信、ＷＥＢサイトやコンテンツデータ（たとえば動画像、静止画像）の閲覧等を行う機能を有する。
携帯電話機１０の筐体の構成や外観等は限定されないが、本実施形態では図２に示すような折りたたみ式（フォルダタイプ）の筐体を採用している。
【００１８】
孔部１８１は、図２に図示するように、スピーカ１８から出力された音を効率よくユーザの耳に伝えるための耳あてを備えている。耳あては、弾性を有し、ユーザの耳が当てられることによって、孔部とユーザの耳の間とで閉じた空間を形成する。また、耳あては、軟質性強磁性体等の透磁性の高い物質が含まれている。
【００１９】
スピーカ１８は、ボイスコイル等の誘電コイルを駆動部として、コーン紙等からなる振動板を震わせることによって音を出力する。
【００２０】
アンテナ１１は、所定の周波数帯域における電磁波を図示しない基地局に向けて送信、あるいは基地局から受信する。
【００２１】
通信部１２は、通話等の音声データ、電子メール等の文字情報、動画像データ等のデータ通信を接続されている基地局との間で無線通信を行う。通信部１２は、制御部１３が出力した送信信号を所定の変調方式に変調した後にアンテナ１１を介して電波信号として送信し、アンテナ１１を介して受信した電波信号を変調方式に対応した復調を行って制御部１３に受信信号として出力する。
【００２２】
制御部１３は、補聴モードまたは通話モードのいずれかに切り替える。具体的には、通話中か否かを判断し、通話中でない場合（すなわち通常時）、補聴モードに切り替える制御信号ＳＡを音声処理部１５のスイッチＳＷ１〜４に、通話中である場合、通話モードに切り替える制御信号ＳＢを音声処理部１５のスイッチＳＷ１〜４に出力する。制御部１３は、筐体の閉時には補聴モードを選択するが、待機中などに補聴モードを選択するようにしてもよい。
これにより、補聴モードの場合には、スイッチＳＷ１は端子Ｃ１側に切り替わり、スイッチＳＷ２はオンに切り替わり、スイッチＳＷ３，４はオフに切り替わり、マイクロフォン１６が集音した音声がユーザの聴力に適合するように増幅されてスピーカ１８から出力される。
他方、通話モードの場合には、スイッチＳＷ１は端子Ｃ２側に切り替わり、スイッチＳＷ２はオフに切り替わり、スイッチＳＷ３，４はオンに切り替わり、送話時にマイクロフォン１７に入力された通話音は、音声処理部１５の処理によってエコー等が除去されてから送信され、受話時の通話相手の音声は、ユーザの聴力に適合するように増幅されてスピーカ１８から出力される。
本実施形態では、ユーザの便宜を考慮し、通話中以外は補聴モードが選択され、音声通話が開始されると自動的に通話モードが選択される。
制御部１３は、たとえばマイクロコンピュータ等で構成され、携帯電話機１０の全般的な動作を統括的に制御する。すなわち、制御部１３は、音声の入出力、携帯電話機１０の各種処理（ネットワークを介して行われる音声通話、電子メールの作成とその送受信、ＷＥＢサイトの閲覧等の制御）がユーザによる操作部１１０の操作に応じて適切な手順で実行されるように、各構成部の動作（通信部１２における電波信号の送受信、記憶部１４とのアクセス、音声処理部１５の制御、表示部１９における画像の表示等）を制御する。
【００２３】
記憶部１４は、たとえば不揮発性の記憶デバイス（フラッシュメモリ）やランダムアクセス可能な記憶デバイス（ＳＲＡＭ、ＤＲＡＭ）等で構成され、各種のデータを記憶する。
上記データには、ユーザのプロフィール情報、通話相手の名前や電話番号、電子メール等の個人データ等を管理するアドレス帳、着信音（着信メロディ）や音声メッセージ等の音声情報、（動）画像データ、制御部１３の出力結果、制御部１３が実行するアプリケーションプログラム、プログラムの処理過程で利用される一時的なデータが含まれる。
【００２４】
ユーザのプロフィール情報には、ユーザの氏名、電話番号などの他に、マイクロフォン１６が集音した音声をユーザの年齢に対応して補正するための補正データが含まれている。
一般に、人間の聴力は、加齢と共に高周波帯域（ここでは２ｋＨｚ〜２０ｋＨｚ程度とする）の聴力が低下する傾向があり、図３（Ａ）に図示する実線はその傾向を示している。図３（Ｂ）に図示する低周波領域（ここでは１０Ｈｚ〜１００Ｈｚ程度とする）についても同様に、加齢と共に音が聞き取りづらくなる傾向がある。
【００２５】
上述した補正データは、補聴モード時に参照され、図４に図示するように、年齢ごとの音声の周波数および相対的な音声の音量レベルに関するデータで構成されている。図４（Ａ）に示す実線は、たとえば５０代の聴力に関するデータを示し、高周波領域および低周波領域の音声レベルは、中間周波数領域のものよりも僅かに低下している。同様に、図４（Ｂ）に示す実線は、たとえば６０代の聴力に関するデータを示し、図４（Ａ）に示す実線よりも高低周波領域において低下している。また、図４（Ｃ）に示す実線は、たとえば８０代の聴力に関するデータを示し、図４（Ａ）、（Ｂ）が示す実線よりもさらに低下している。
一方、図４（Ａ）〜（Ｃ）に示す破線は、ユーザが最も可聴しやすい音声の音量の基準レベルを示している。補聴モード時に、マイクロフォン１６によって集音された音声レベルがこの基準レベルに達しない場合には、音声処理部１５によって基準レベルとなるように補正される。逆に、集音された音声レベルが基準値以上であったとしても、基準レベルとなるように補正される。
補正データには、上述のデータ以外に、マイクロフォン１６によって集音された音声速度（受話速度）がユーザに適した音声速度となるように補正するためのデータも含まれ、通話モードおよび補聴モードで参照される。
【００２６】
次に、音声処理部１５の各構成要素について説明する。
増幅器１５１は、マイクロフォン１６または１７から入力された音声信号を増幅して音声処理部１５のエコーキャンセラ１５２に出力する。
増幅器１５１ａは、音声処理部１５のイコライザ１５３ａから入力された音声信号を増幅してスピーカ１８に出力する。
【００２７】
エコーキャンセラ１５２は、マイクロフォン１６，１７およびスピーカ１８間の音響結合により発生するエコーを低減させるために設けられ、マイクロフォン１６が集音し、増幅器１５１を介して入力された音声信号からエコーを除去し、イコライザ１５３に出力する。
【００２８】
イコライザ１５３は、エコーキャンセラ１５２から音声信号が入力され、記憶部１４に格納されているユーザのプロフィール情報に基づいて、周波数調整を行い、ＤＳＰ１５４に出力する。
【００２９】
イコライザ１５３ａは、ユーザの聴力に合わせた音量レベルに調整するため、プロフィール情報の年齢や聴力に関する補正データを参照し、図４（Ａ）〜（Ｃ）に図示するように、低周波領域や高周波領域での音量レベルを、同図中の破線部で示す基準レベルとなるように周波数を調整、すなわち増幅する。この基準レベルは、ユーザの聴力に合わせたレベルであって、あらかじめユーザが好適に初期設定できるようにしておくとよい。イコライザ１５３ａは、ノイズキャンセラ１５５から音声信号が入力され、上述のイコライザ１５３と同様の処理を行った後、増幅器１５１ａ出力する。このとき、イコライザ１５３ａは、図４（Ｃ）に図示するように、高低周波数以外の領域であっても、補正すべき音量レベルが基準レベルに満たない周波数領域がある場合、上述と同様に音声レベルを補正する。
無論、イコライザ１５３がイコライザ１５３ａと同様の処理を行ってもよい。
【００３０】
ＤＳＰ１５４は、イコライザ１５３から入力された音声信号をアナログからデジタルに変換し、補聴モードの場合にはＤＳＰ１５４ａに出力し、通話モードの場合には制御部１３に出力する。
【００３１】
ＤＳＰ１５４ａは、補聴モードの場合にはＤＳＰ１５４から音声信号が、通話モードの場合には制御部１３から音声信号がそれぞれ入力され、ユーザの聴力に合わせた受話速度に調整するため、話速変換（たとえば受話速度を下げる）し、ノイズキャンセラ１５５に出力する。この受話速度は、あらかじめユーザが好適に設定したプロフィール情報の補正データに基づいて変換される。
【００３２】
また、音声速度調整部の速度調整の方法として、例えば通話モードのときの通話速度と、補聴モードのときにマイクロフォン１６から集音される音声とを比較する方法も考えられる。通話速度よりもマイクロフォン１６から集音される音声の速度のほうが大きいとき、補聴モードの制御部１３は、マイクロフォン１６から集音される音声の速度を通話速度と同じスピードにする。
また、制御部１３は、通話速度に関しては通信部１２にて受信した音声の速度を変更することなく同じスピードでスピーカ１８に音声を出力させ、対してマイクロフォン１６から集音した音声に関してはスピーカ１８から音声を出力する際に集音したときの音声に比して遅くして出力してもよい。
【００３３】
ノイズキャンセラ１５５は、ＤＳＰ１５４ａから音声信号が入力され、マイクロフォン１６が集音した背景音や通話相手の音声に含まれるノイズ音等の低周波成分をカットし、イコライザ１５３ａに出力する。
【００３４】
なお、図１に示す音声処理部１５を構成する各構成要素は、それぞれハードウェアによって構成されるが、図１の音声処理部１５は処理手順を明確にするに過ぎないため、たとえばＤＳＰ１５４，１５４ａの処理を単体のハードウェアで処理するなど、好適に変更可能である。
本実施形態では、音声処理部１５の全てあるいは一部の処理をソフトウェア的に処理するようにしてもよいし、ＤＳＰ１５４、１５４ａの処理を制御部１３のマイクロコンピュータ等に実行させるようにしてもよい。
【００３５】
スイッチＳＷ１は、マイクロフォン１６または１７の内いずれか一方からの音声信号を増幅器１５１に入力させるように、増幅器１５１とマイクロフォン１６，１７との間に設けられている。スイッチＳＷ２は、ノードＮＤ１、２間に設けられ、スイッチＳＷ３は、ＤＳＰ１５４と制御部１３との間に設けられ、スイッチＳＷ４は、ＤＳＰ１５４ａと制御部１３との間に設けられている。
スイッチＳＷ１〜４は、制御部１３から補聴モードに切り替えるための制御信号ＳＡを受けると補聴モードに、通話モードに切り替えるための制御信号ＳＢ（何れの信号も不図示）を受けると、通話モードに切り替える。
詳細には、制御部１３から補聴モードに切り替える制御信号ＳＡ（不図示）を受けた場合、スイッチＳＷ１は端子Ｃ１側に切り替わり、スイッチＳＷ２はオンに切り替わり、スイッチＳＷ３，４はオフに切り替わる。
一方、制御部１３から通話モードに切り替える制御信号ＳＢ（不図示）を受けた場合、スイッチＳＷ１は端子Ｃ２側に接続され、スイッチＳＷ２はオフに切り替わり、スイッチＳＷ３，４はオンに切り替わる。
【００３６】
マイクロフォン１６は、たとえば指向性のマイクロフォンであって、補聴モード時に携帯電話機１０の周囲の音（単に「外界音」のように表現することがある）を集音するために使用される。具体的には、マイクロフォン１６は、外界音を集音し、音声信号として増幅器１５１に出力する。
マイクロフォン１６の取り付け位置は、外界音を集音可能な位置であれば限定されないが、マイクロフォン１６とスピーカ１８との距離が短いとハウリングが生じやすいため、出来るだけ互いの距離を離すのが望ましい。
そこで、本実施形態では、外界音を集音しやすく、できるだけスピーカ１８およびマイクロフォン１７と距離が取れるように、マイクロフォン１６は上部筐体１１１のヒンジ部１１４付近に取り付けられている。
【００３７】
マイクロフォン１７は、通話モード時に使用され、入力された通話音を増幅器１５１に出力する。
【００３８】
スピーカ１８は、図２（Ａ）に示す上部筐体１１２に取り付けられ、増幅器１８ｂが増幅した音声信号を音波信号として出力（放音）する。
【００３９】
表示部１９は、図２（Ａ）に図示するように、たとえば液晶表示パネルや有機ＥＬ（Ｅｌｅｃｔｒｏ−Ｌｕｍｉｎｅｓｃｅｎｃｅ）パネル等の表示デバイスが上部筐体１１２に設けられ、制御部１３から供給された映像信号に応じた種々の情報を表示する。
表示部１９が表示する情報には、たとえば発信時（着信時）における通話先の電話番号、電子メール等の文字情報、ＷＥＢサイト、動画像、日付等の時間情報、電池残量、発信成否、待ち受け画面等が含まれる。
【００４０】
操作部１１０は、図２（Ａ）に図示するように、たとえば電源キー、通話キー、数字キー、文字キー、方向キー、決定キー、発信キーなど各種機能が割り当てられた複数のキーを有し、下部筐体１１３に設けられている。操作部１１０は、これらのキーがユーザによって操作された場合、その操作内容に対応する信号を発生し、これをユーザの指示として制御部１３に出力する。
【００４１】
次に、携帯電話機１０の動作について、音声処理部１５を中心に図５を参照しながら説明する。
図５は、本実施形態に係る携帯電話機の動作を説明するためのフローチャートである。
【００４２】
はじめに補聴モード（ステップＳＴ２〜ＳＴ８）について説明した後、通話モード（ＳＴ９〜ＳＴ１９）について説明する。なお、通話モードの説明では、ユーザの音声を送信する送信処理（ステップＳＴ１１〜ＳＴ１４）を説明した後、通話相手の音声を受信する受信処理（ステップＳＴ１５〜ＳＴ１９）について説明する。
以下の説明では、ユーザの年齢等を含むプロフィール情報があらかじめ設定されているものとし、筐体は開示（図２（Ａ）を参照）されているものとする。
【００４３】
（ステップＳＴ１）
制御部１３は通話中か否かを判断する。制御部１３は、通話中でない場合（ＮＯ）、補聴モードに切り替える制御信号ＳＡを音声処理部１５のスイッチＳＷ１〜４に出力し、通話中である場合（ＹＥＳ）、通話モードに切り替える制御信号ＳＢを音声処理部１５のスイッチＳＷ１〜４に出力する。
【００４４】
（ステップＳＴ２）
スイッチＳＷ１〜４は、制御部１３から補聴モードに切り替える制御信号ＳＡを受けて、スイッチＳＷ１は端子Ｃ１側に切り替わり、スイッチＳＷ２はオンに切り替わり、スイッチＳＷ３，４はオフに切り替わる。
これにより、マイクロフォン１６が集音した音声をユーザの聴力に適合するように増幅してスピーカ１８に出力する補聴モードが選択される。
【００４５】
（ステップＳＴ３）
マイクロフォン１６が集音された音は音声信号として増幅器１５１にて増幅された後、エコーキャンセラ１５２に入力される。
エコーキャンセラ１５２は、増幅器１５１から入力された音声信号からエコーを低減させ、イコライザ１５３に出力する。
【００４６】
（ステップＳＴ４）
イコライザ１５３は、エコーキャンセラ１５２からエコー低減済の音声信号が入力され、記憶部１４に格納されているユーザのプロフィール情報に基づいて、周波数特性を調整する。
【００４７】
（ステップＳＴ５）
ＤＳＰ１５４は、アナログからデジタルの音声信号に変換し、スイッチＳＷ２を介してＤＳＰ１５４ａに出力する。
ＤＳＰ１５４ａは、ユーザのプロフィール情報に基づいて話速変換を行った後、デジタルからアナログの音声信号に変換し、ノイズキャンセラ１５５に出力する。
【００４８】
（ステップＳＴ６）
ノイズキャンセラ１５５は、音声信号に含まれる低周波成分等をカットし、イコライザ１５３ａに出力する。
【００４９】
（ステップＳＴ７）
イコライザ１５３ａは、ノイズキャンセラ１５５からノイズ低減済の音声信号が入力され、ユーザのプロフィール情報に基づいて周波数特性を調整し、増幅器１５１ａに出力する。
【００５０】
（ステップＳＴ８）
スピーカ１８は増幅器１５１ａが増幅した音声信号を出力する。その後、ステップＳＴ１の処理が再開される。
【００５１】
上述したように、ステップＳＴ２の処理によって補聴モードが設定されると、マイクロフォン１６が集音した外界音は、音声処理部１５の処理によってノイズやエコー等が除去され、音声レベルがユーザの聴力に適合するように増幅されてスピーカ１８から出力される。
【００５２】
（ステップＳＴ９）
スイッチＳＷ１〜４は、制御部１３から通話モードに切り替える制御信号ＳＢを受けて、スイッチＳＷ１は端子Ｃ２側に切り替わり、スイッチＳＷ２はオフに切り替わり、スイッチＳＷ３，４はオンに切り替わる。
これにより、マイクロフォン１７を使用して音声通話を行う音声通話モードが選択される。
【００５３】
（ステップＳＴ１０）
制御部１３は、音声通話の送信処理を行うか否かを判断し、送信処理を行う場合（ＹＥＳ）、送信処理を開始し（ステップＳＴ１１）、受信処理を行う場合（ＮＯ）、受信処理を開始する（ステップＳＴ１５）。
【００５４】
（ステップＳＴ１１）
送信処理が開始されると、マイクロフォン１７に入力された通話音は音声信号として増幅器１５１にて増幅された後、エコーキャンセラ１５２に入力される。
【００５５】
（ステップＳＴ１２，１３）
ステップＳＴ１２，１３の処理は、ステップＳＴ３，４と同様の処理を行えばよいため、詳細な説明は割愛する。
【００５６】
（ステップＳＴ１４）
ＤＳＰ１５４は、アナログからデジタルの音声信号に変換し、スイッチＳＷ３を介して制御部１３に出力する。その後、通信部１２は、制御部１３が所定の処理を施した音声信号を変調し、送信信号としてアンテナ１１を介して基地局に送信する。その後、ステップＳＴ１の処理が再開される。
【００５７】
（ステップＳＴ１５）
一方、受信処理が開始されると、通信部１２は、アンテナ１１を介して基地局から受信した受信信号を音声信号として復調し、制御部１３に出力する。その後、制御部１３は、音声信号に所定の処理を施し、スイッチＳＷ４を介してＤＳＰ１５４ａに出力する。
【００５８】
（ステップＳＴ１６〜１９）
ステップＳＴ１６〜１９の処理は、ステップＳＴ５〜８と同様の処理を行えばよいため、詳細な説明は割愛する。
【００５９】
上述したように、ステップＳＴ９の処理によって通話モードが設定されると、送信処理時には、マイクロフォン１７に入力された通話音は、音声処理部１５の処理によってエコー等が除去されてから送信され、受信処理時には、通話相手の音声は、ノイズ等が除去され、音声レベルがユーザの聴力に適合するように増幅されてスピーカ１８から出力される。
【００６０】
本実施形態によれば、筐体と、通信部と、当該通信部を介して外界と通話可能なスピーカ部及びマイク部とを備えた携帯電話機１０であって、外部の音を集めるマイクロフォン１６と、当該マイクロフォン１６によって集音された音を補正して前記スピーカ１８へ出力させる補聴モードを有する音声処理部１５と、を備えることから、次のような効果が得られる。
【００６１】
携帯電話１０が元々有する音声処理部を用いることにより、人間の聴音を手助けする機器を提供することが可能となる。
また、前述した効果を携帯電話において成し遂げることによって、当該装置が用いられて補聴が行われたときに、ユーザは他人の目を気にする必要がなくなる。
同時に、携帯電話の記憶部に記憶された個人情報（性別・生年月日等）に基づいた補正を携帯電話側で自動的に行うために、ユーザは補聴の設定を別個に行わなくてすみ、ユーザビリティが向上する。
【００６２】
また、スピーカ１８が誘導コイルによって駆動することにより、大きな音量による補正された音声の出力が可能となる。
また、透磁性を有する耳あてがスピーカの放音口（孔部）の近くに設けられることによって、補正された音声の音漏れを防ぐことが出来る。同時に、誘導コイルによって発生した電磁波が耳あて部に吸い寄せられるため、誘導コイルが発生させた電磁波が筐体内部の他の電子部品等に悪影響を与える虞を低減させることが可能となる。
【００６３】
また、携帯電話機１０が補聴器の機能を有するため、マイクロフォン１６（または１７）とスピーカ１８との距離を十分に確保でき、ハウリングを抑制できる。補聴機能を携帯電話機の使用時と変わらない動作で使用できるため、補聴機能の使用を他人に知られにくい利点がある。
補聴機能を実行するために、特殊な部品等を必要とせず、携帯電話機１０に搭載されている部品（通話用のスピーカ１８、マイクロフォン１６，１７等）を使用しているため、ユーザがたとえば補聴器のような外部機器を別途購入し、携帯電話機１０に取り付ける手間を強いることがない。
携帯電話機１０の筐体は耳に装着する補聴器と比べて大きいため、エコーキャンセラ１５２、イコライザ１５３，ノイズキャンセラ１５５等を搭載する空間を確保でき、高品質な音声を提供できる。
イコライザ１５３がユーザの年齢に合わせて音量レベルを自動的に調整するため、ユーザは手動で音量レベルを調整する必要がない。
制御部１３が補聴モードまたは通話モードに適宜切り替えるため、ユーザは通話時にも聴力に適合した音量レベルで通話できる。
【図面の簡単な説明】
【００６４】
【図１】実施形態に係る携帯電話機の主要部の構成例を示すブロック図である。
【図２】実施形態に係る携帯電話機の筐体の一例を示す外観図である。
【図３】実施形態に係る補正データの例を説明するための図である。
【図４】実施形態に係る補正データの例を示す図である。
【図５】実施形態に係る携帯電話機の動作を説明するためのフローチャートである。
【符号の説明】
【００６５】
１０…携帯電話機、１１…アンテナ、１２…通信部、１３…制御部（ＣＰＵ）、１４…記憶部（ＭＥＭ）、１５…音声処理部、１５１，１５１ａ…増幅器（ＡＭＰ）、１５２…エコーキャンセラ、１５３、１５３ａ…イコライザ、１５４、１５４ａ……ＤＳＰ、１５５…ノイズキャンセラ、ＳＷ１〜４スイッチ、１６，１７…マイクロフォン（ＭＩＣ）、１８…スピーカ（ＳＰ）、１９…表示部、１１０…操作部、１１５…外部出力コネクタ
【図１】
0005248186.tif 000002
【図２】
0005248186.tif 000003
【図３】
0005248186.tif 000004
【図４】
0005248186.tif 000005
【図５】
0005248186.tif 000006